(57)【要約】【課題】閉鎖型の電子制御装置の冷却装置を、容易且つ低コストに実現する。【解決手段】内蔵部品８やプリント基板１０による発熱で温度上昇した装置内部の空気を、マイクロファン２で循環させ、この空気を空気冷却フィン６で集熱して、これをヒートパイプ７によって液冷却用冷却体３へ熱移送して、液冷却用冷却体３で冷却する。【選択図】図１
2008060515.tif 000002
【特許請求の範囲】
【請求項１】
筐体内にパワーデバイス、各種発熱部品／基板が搭載され、該パワーデバイスを冷却する冷却システムであって該パワーデバイスと接触する液冷却用冷却体と該筐体外部へ繋がる冷却パイプとを備える冷却システムを有する、閉鎖型の電子制御装置の冷却装置であって、
前記筐体内で内部空気を循環させるファンと、
該循環される内部空気から集熱する冷却フィンと、
該冷却フィンと前記液冷却用冷却体とを熱的に接続して、該冷却フィンから前記液冷却用冷却体へ熱移動させる高熱伝導性部材と、
を有することを特徴とする電子制御装置の冷却装置。
【請求項２】
前記冷却フィンは前記ファンの近傍に配置することを特徴とする請求項１記載の電子制御装置の冷却装置。
【請求項３】
前記パワーデバイスは、前記ファンによる循環風が当たらない位置へ配置することを特徴とする請求項１記載の電子制御装置の冷却装置。
【発明の詳細な説明】
【技術分野】
【０００１】
本発明は、電力変換装置等の電子制御装置の冷却装置に関する。
【背景技術】
【０００２】
電子制御装置の冷却方式としては、一般的に、自然空冷、強制空冷、あるいは液冷却方式が知られている。自然空冷は冷却力が小さいという問題があり、強制空冷では空冷ファンの大型化及び騒音問題も挙げられる。
【０００３】
液冷却方式に関しては、例えば特許文献１に開示されるような方式等、様々な方式があるが、ポンプ、配管等を要する為、装置が大型化する。
図３（ａ）〜（ｃ）に、従来の冷却方式の一例を示す。
【０００４】
図３（ａ）には、従来の一般的な自然空冷方式を示す。同図及び図３（ｂ）、（ｃ）において、３４ａ、３４ｂは電子制御装置内に設けられる発熱部品であり、３２、３５は各々筐体に設けられる排気口、吸気口である。
【０００５】
そして、図３（ａ）においては、自然な空気の流れによって、吸気口３５から外部の空気が流入すると共に、発熱部品３４ａ、３４ｂ等によって温度上昇した内部空気が、排気口３２から排出される。図３（ｂ）に示す一般的な強制空冷方式では、冷却用ファン３３を更に設けることによって、強制的な空気の流れを作り出している。
【０００６】
図３（ｃ）には、従来の一般的な液冷却方式を示す。図示の例では、発熱部品３７を、液冷却システム４０によって冷却している。液冷却システム４０は、液冷却用冷却体４１、冷却パイプ４２、ラジエータ４３、ファン４４等を有する。冷却パイプ４２内には冷却水等の冷却液が循環して流れている。冷却パイプ４２の一部は液冷却用冷却体４１に接続（挿入）している。発熱部品３７は、液冷却用冷却体４１に接触している。これより、発熱部品３７で発生した熱は、液冷却用冷却体４１に伝達し、更に冷却パイプ４２内の冷却液に伝達して、冷却液によって装置外へ運び出される。冷却液は、ラジエータ４３、ファン４４によって冷却される。
【０００７】
また、特許文献２に記載の従来技術では、周囲雰囲気の影響を受けない、密閉構造になる閉鎖形ケースを採用しつつ、ケース内に組み込んだ主回路部品等を効果的に冷却できるようにしている。
【特許文献１】特開２００６−３１５７４号公報
【特許文献２】特開平８−１８６３８８号公報
【発明の開示】
【発明が解決しようとする課題】
【０００８】
従来の図３（ａ）〜（ｃ）の冷却方式は、全てが、外気を装置内部に取り入れ、温度上昇した内部空気を装置外へ排出する方式である（図３（ｃ）でもファンによる排出も行っている）。
【０００９】
この為、特に、電子制御装置を複数並べた、所謂“列盤”とした場合、あるいは他の発熱する機器と並べて設置した場合、これらを収納する盤、又は装備室内部の空気温度が上昇する。このことで、室内全体の冷房設備などの検討も必要になるという問題があった。
【００１０】
これに対して、上記特許文献２では、密閉構造になる閉鎖形ケースを採用している。しかしながら、この技術では、特殊形状のフィン付きヒートシンクやこれに接続した冷却パイプ等を新たに設ける必要がある。更にプリント回路板で発生する熱の冷却効率がよいとは言い難い。一方、図３（ｃ）に示すような構成で密閉を行えば、当然、発熱部品３７以外の部品による発熱で、筐体内の空気温度が上昇し、この熱は筐体に伝わり、結局、筐体表面から周辺への熱放散が生じる。
【００１１】
本発明の課題は、液冷却システムを採用した閉鎖型の電子制御装置であって、内部部品等の発熱により温度上昇した装置内部の空気の冷却を、液冷却システムを利用して行うことで容易且つ低コストに実現でき且つ効率的に冷却できるようにし、装置から外部への熱放散を低減でき以って列盤内や装備室内部の空気温度の上昇を抑制し得る電子制御装置の冷却装置等を提供することである。
【課題を解決するための手段】
【００１２】
本発明による電子制御装置の冷却装置は、筐体内にパワーデバイス、各種発熱部品／基板が搭載され、該パワーデバイスを冷却する冷却システムであって該パワーデバイスと接触する液冷却用冷却体と該筐体外部へ繋がる冷却パイプとを備える冷却システムを有する、閉鎖型の電子制御装置の冷却装置であって、前記筐体内で内部空気を循環させるファンと、該循環される内部空気から集熱する冷却フィンと、該冷却フィンと前記液冷却用冷却体とを熱的に接続して、該冷却フィンから前記液冷却用冷却体へ熱移動させる高熱伝導性部材とを有する。
【００１３】
本発明による電子制御装置の冷却装置は上記閉鎖型である。そして、パワーデバイス以外の各種発熱部品／基板による発熱は、ファンと冷却フィンによって集熱して、これを高熱伝導性部材を介して、パワーデバイスを冷却する為の液冷却用冷却体に熱移動させ冷却する。冷却フィンや高熱伝導性部材は、特殊なものではなく、一般的なものを用いればよく、容易且つ低コストに、閉鎖型の電子制御装置内で発生した熱を、外部に移すことができる。
【００１４】
また、例えば、前記冷却フィンは、伝熱性能（集熱）を高める為、前記ファンの近傍に配置する。
一方、例えば、前記パワーデバイスは、筐体内への放熱を最少に抑える為に、前記ファンによる循環風が当たらない位置へ配置する。
【発明の効果】
【００１５】
本発明の電子制御装置の冷却装置等によれば、液冷却システムを採用した閉鎖型の電子制御装置であって、内部部品等の発熱により温度上昇した装置内部の空気の冷却を、液冷却システムを利用して行うことで容易且つ低コストに実現でき且つ効率的に冷却でき、装置から外部への熱放散を低減でき以って列盤内や装備室内部の空気温度の上昇を抑制し得る。
【発明を実施するための最良の形態】
【００１６】
以下、図面を参照して、本発明の実施の形態について説明する。
図１に、本例の冷却装置を備える電子制御装置の構成例を示す。
図示の電子制御装置は、その筐体１内に、電解コンデンサ等の内蔵部品８、電力用半導体モジュール９、プリント基板１０等を有する構成であり、これら部品８〜基板１０から発生する熱を冷却するシステムとして、以下の構成を有する。
【００１７】
まず、パワーデバイスの一例である電力用半導体モジュール９の発熱に関しては、液冷却用冷却体３、冷却パイプ４（排出口側）、冷却パイプ５（吸入口側）等を備えている。これらの構成自体は、上述した従来の液冷却システム４０と同様の構成であり、その一部を示してある。すなわち、液冷却用冷却体３は上記液冷却用冷却体４１に相当し、冷却パイプ４、５は上記冷却パイプ４２に相当する構成である。更に、図１では省略してあるが、上記ラジエータ４３、ファン４４等に相当する構成も存在する。尚、電力用半導体モジュール９は上記発熱部品３７に相当する構成であり、内蔵部品８とプリント基板１０は上記発熱部品３４ａ、３４ｂに相当する構成である。
【００１８】
本例の液冷却方式の特徴は、内蔵部品８やプリント基板１０による発熱で温度上昇した内部空気の冷却を、上記液冷却用冷却体４１等（液冷却システム４０）を利用して行うことである。すなわち、図１に示す通り、空気冷却フィン６を設けると共に、この空気冷却フィン６と上記液冷却用冷却体３とを、高熱伝導性部材（例えばヒートパイプ７）によって熱的に接続している。また、伝熱性能を高める目的で、筐体１内での空気の循環を行うマイクロファン２を設けている。尚、高熱伝導性部材は、銅またはアルミ等の高熱伝導材を加工したものであってよい。
【００１９】
以上の構成により、内蔵部品８やプリント基板１０による発熱で温度上昇した装置内部の空気を、マイクロファン２で循環させ、この空気を空気冷却フィン６で集熱して、これをヒートパイプ７によって液冷却用冷却体３へ熱移送して、液冷却用冷却体３で冷却する。  この様に、電力用半導体モジュール９の冷却用である液冷却用冷却体３を利用して、装置内部の空気を冷却する。
【００２０】
ここで、本例の筐体１には従来の図３（ａ）〜（ｃ）のような穴（吸気口、排気口）は設けられておらず、上記各構成部品は筐体１内に密閉された構成となっている。従って、マイクロファン２は、従来のような筐体１外部への空気の排気に用いるようなものではなく、上記の通り、密閉された筐体１内部で空気を循環させる為に用いられる。本例の構成では、上記の通り、筐体１内で発生する熱は全て液冷却システムを利用して排出される。
【００２１】
空気冷却フィン６は、一般に冷却（放熱）フィンと称するものであり、既製品が多種存在し、取り付け等の為に一部加工を施して使用するのが一般的である。本例においても、既製品を一部加工しており、既製品のアルミ板数枚の中央に穴を空け、この穴にヒートパイプ７を通している。
【００２２】
また、空気冷却フィン６は、伝熱性能（集熱）を高める為に、図１に示す通りマイクロファン２近傍に設置し、一定の風速を確保することが望ましい。すなわち、空気冷却フィン６による集熱量Ｑは、以下の（１）式によって算出できるが、以下の（１）式より、集熱量Ｑを大きくする為には、以下の（１）式におけるＡやｈを大きくすればよいことになる。そして、Ａを大きくする為には、フィン枚数を多くするか、フィン１枚当たりの面積を大きくすればよい。ｈを大きくする為には、マイクロファン２近傍に空気冷却フィン６を設置すればよい。
集熱量Ｑ＝Ａ・ｈ（Ｔａ−Ｔｆ）      ・・・（１）式
（Ａ；フィン表面積、ｈ；空気の熱伝達率、Ｔａ；空気温度、Ｔｆ；フィン温度）
【００２３】
上述した様に、本例の空気冷却フィン６は一般的なものであり、特許文献２のような特殊な形状・加工を要するものではない。また、マイクロファン２による筐体１内の空気の循環についても、空気冷却フィン６に特別なダクト等は設けておらず、内蔵部品の最適配置等で空気の循環路を確保すればよい。
【００２４】
更に、電力用半導体モジュール９に関しては、その発熱の出来る限り多くを液冷却用冷却体３で熱吸収させること（筐体内への放熱を最少に抑えることで、筐体内空気温度上昇を抑制すること）が望ましいので、電力用半導体モジュール９は、マイクロファン２による循環風が出来るだけ当たらない配置とすることが望ましい。
【００２５】
本例のように電子制御装置の構成部品を筐体１内に密閉する構成では、筐体内空気温度上昇を抑制する必要がある。よって、電力用半導体モジュール９表面からの放熱量を最小限にする必要がある。ここで、電力用半導体モジュール９表面からの放熱量Ｑは、以下の（２）式で表すことができる。
放熱量Ｑ＝Ｂ・ｈ（Ｔｃ−Ｔａ）      ・・・（２）式
（Ｂ；電力用半導体モジュール表面積、ｈ；空気の熱伝達率、Ｔｃ；電力用半導体モジュール表面温度、Ｔａ；空気温度）
【００２６】
空気の熱伝達率ｈは、風速が早くなるほど大きな値となる為、電力用半導体モジュール９の表面には風を当てないで、自然空冷による放熱とした方が、電力用半導体モジュール９表面からの放熱量が少なくなる。従って、筐体１内への放熱量が減り、空気冷却フィン６の冷却能力を増強させなくても済むようになる。
【００２７】
以上説明したように、本例の構成によれば、電子制御装置において、まず、この装置を構成する部品を全てその筐体内に密閉するので、温度上昇した内部空気が装置外へ排出されることはない。但し、その熱は、筐体１表面から外部へ放熱される。しかし、内蔵部品やプリント基板等による発熱で温度上昇した内部空気の冷却は、電力用半導体モジュール冷却用の液冷却用冷却体を利用することで実現するので、筐体内空気の冷却の為の冷却装置の大型化を防止できる。内部空気が冷却されることで、筐体表面から筐体外部への熱放散を低減することができる。
【００２８】
また、上記特許文献２の技術では、パワーデバイスをはじめとする全ての発熱源を、液冷却装置の特殊形フィン付きヒートシンク一体で冷却していたが、本例の構成では、液冷却を必要とする電力用半導体モジュールの冷却用の液冷却用冷却体を利用して、一般的な冷却フィン、ヒートパイプを追加するだけで、容易且つ低コストに、他の発熱部品が筐体内へ放熱した熱量も、液冷却システムにより外部へ移すことが可能となる。
【００２９】
図２に、図１に示す本例の電子制御装置を複数並べて、所謂“列盤”とした場合の斜視図を示す。
特にこの様な列盤として使用する場合には、従来と比較して、電子制御装置の排気口等からの内部空気（熱）放出は無くなり、また筐体表面からの熱放散も低減されるので、これら電子制御装置の筐体１を収納する収納盤２０や装備室の温度上昇を抑制することができ、全体の冷房設備等の容量を小さくできる。尚、不図示の上記ラジエータ４３、ファン４４等に相当する構成は、収納盤２０の外、又は装備室外、あるいは建物外等に設けることが望ましい。
【図面の簡単な説明】
【００３０】
【図１】本例の冷却装置を備える電子制御装置の構成例である。
【図２】図１に示す本例の電子制御装置を複数並べて、所謂“列盤”とした場合の斜視図である。
【図３】（ａ）〜（ｃ）は、従来の冷却方式の一例を示す図である。
【符号の説明】
【００３１】
１      筐体
２      マイクロファン
３      液冷却用冷却体、
４      冷却パイプ（排出口側）
５      冷却パイプ（吸入口側）
６      空気冷却フィン
７      ヒートパイプ
８      内蔵部品
９      電力用半導体モジュール
１０      プリント基板
２０      収納盤
【図１】
2008060515.tif 000003
【図２】
2008060515.tif 000004
【図３】
2008060515.tif 000005